(57)【要約】【課題】ワイヤーハーネスに対するプロテクタの固定力を向上する技術を提供する。【解決手段】プロテクタ１０は、基部１２および突出部１４を備える。基部１２は、方向Ｄ１に延びており、ワイヤーハーネス９０を内側に収容可能な構造を有する。突出部１４は、基部１２の方向Ｄ１の端部につながっており、ワイヤーハーネス９０の外周面に接触して固定される。突出部１４は、基部１２の周方向に沿って第１軟部３２、硬部２０および第２軟部３４を備える。第１軟部３２および第２軟部３４は、硬部２０よりも柔軟に形成されている。【選択図】図４
2018014780.tif 000002
【特許請求の範囲】
【請求項１】
ワイヤーハーネスに装着されるプロテクタであって、
第１方向に延びており、ワイヤーハーネスを内側に収容可能な構造を有する基部と、
前記基部の前記第１方向の端部につながっている突出部と、
を備え、
前記突出部は、前記基部の周方向に沿って硬部および該硬部よりも柔軟な第１軟部を有する、プロテクタ。
【請求項２】
請求項１のプロテクタであって、
前記第１軟部と前記基部との間に隙間が形成されている、プロテクタ。
【請求項３】
請求項１または請求項２のプロテクタであって、
前記硬部および前記第１軟部が、同一素材で形成されている、プロテクタ。
【請求項４】
請求項３のプロテクタであって、
前記第１軟部が、前記硬部よりも薄く形成された部分を有する、プロテクタ。
【請求項５】
請求項１から請求項４のいずれか１項のプロテクタであって、
前記硬部における第１軟部とは反対側の端部につながる第２軟部、
をさらに備える、プロテクタ。
【請求項６】
請求項５のプロテクタであって、
前記硬部は、
板状に形成された第１硬部と、
前記第１硬部に直交する板状に形成された第２硬部と、
を含み、
前記第１軟部は、前記第１硬部における前記第２硬部とは反対側の端部につながっており、
前記第２軟部は、前記第２硬部における前記第１硬部とは反対側の端部につながっている、プロテクタ。
【請求項７】
プロテクタ付ワイヤーハーネスであって、
ワイヤーハーネスと、
請求項１から請求項６のいずれか１項のプロテクタと、
前記突出部と前記ワイヤーハーネスとを結束する結束部材と、
を備える、プロテクタ付ワイヤーハーネス。
【発明の詳細な説明】
【技術分野】
【０００１】
この発明は、ワイヤーハーネスに装着されるプロテクタに関する。
【背景技術】
【０００２】
ワイヤーハーネスを保護することを目的として、ワイヤーハーネスにプロテクタを装着する場合がある。例えば、特許文献１には、プロテクタ本体の端部に外方に延出するように形成された複数の固定片を備えたプロテクタが開示されている。複数の固定片は、弾性変形可能に形成されている。ワイヤーハーネス本体を構成する複数の電線の隙間に各固定片を入れ込み、それらの周囲に結束部材を巻付けることによって、プロテクタがワイヤーハーネスに固定される。
【先行技術文献】
【特許文献】
【０００３】
【特許文献１】特開２０１４−２０７７３８号公報
【発明の概要】
【発明が解決しようとする課題】
【０００４】
しかしながら、特許文献１のプロテクタの場合、各固定片が弾性変形するため、各固定片に固定された複数の電線の固定部分が、各固定片とともに揺動しやすい。このため、ワイヤーハーネス本体に対するプロテクタの固定力が低下することによって、プロテクタの位置がずれたり、プロテクタがワイヤーハーネス本体から外れたりする可能性がある。
【０００５】
そこで、本発明は、ワイヤーハーネスに対するプロテクタの固定力を向上する技術を提供することを目的とする。
【課題を解決するための手段】
【０００６】
上記の課題を解決するため、第１態様は、ワイヤーハーネスに装着されるプロテクタであって、第１方向に延びており、ワイヤーハーネスを内側に収容可能な構造を有する基部と、前記基部の前記第１方向の端部につながっている突出部とを備え、前記突出部は、前記基部の周方向に沿って硬部および該硬部よりも柔軟な第１軟部を有する。
【０００７】
また、第２態様は、第１態様のプロテクタであって、前記第１軟部と前記基部との間に隙間が形成されている。
【０００８】
また、第３態様は、第１態様または第２態様のプロテクタであって、前記硬部および前記第１軟部が、同一素材で形成されている。
【０００９】
また、第４態様は、第３態様のプロテクタであって、前記第１軟部が、前記硬部よりも薄く形成された部分を有する。
【００１０】
また、第５態様は、第１態様から第４態様のいずれか１態様のプロテクタであって、前記硬部における第１軟部とは反対側の端部につながる第２軟部、をさらに備える。
【００１１】
また、第６態様は、第５態様のプロテクタであって、前記硬部は、板状に形成された第１硬部と、前記第１硬部に直交する板状に形成された第２硬部とを含み、前記第１軟部は、前記第１硬部における前記第２硬部とは反対側の端部につながっており、前記第２軟部は、前記第２硬部における前記第１硬部とは反対側の端部につながっている。
【００１２】
また、第７態様は、プロテクタ付ワイヤーハーネスであって、ワイヤーハーネスと、第１態様から第６態様のいずれか１態様のプロテクタと、前記突出部と前記ワイヤーハーネスとを結束する結束部材とを備える。
【発明の効果】
【００１３】
第１態様のプロテクタによると、結束部材によって突出部をワイヤーハーネスに固定する際、基部の周方向に沿って配された硬部および軟部がワイヤーハーネスの外周に当接される。その際、軟部がワイヤーハーネスの外周面に密着するように変形可能であるため、ワイヤーハーネスに接触する突出部の面積を増大できる。したがって、プロテクタをワイヤーハーネスに強固に固定できる。また、突出部が硬部を有することによって、突出部に固定されたワイヤーハーネスの固定部分が揺動することを抑制できる。これによって、ワイヤーハーネスに対する突出部の固定位置がずれることを抑制できる。
【００１４】
第２態様のプロテクタによると、軟部と基部との間に隙間が形成されていることによって、軟部が基部から独立して変形可能である。これによって、軟部がワイヤーハーネスに密着しやすくなる。
【００１５】
第３態様のプロテクタによると、突出部を一体成形できるため、プロテクタの製造が容易である。
【００１６】
第４態様のプロテクタによると、軟部が硬部よりも薄く形成された部分を有することによって、軟部に柔軟性を持たせることができる。
【００１７】
第５態様のプロテクタによると、硬部の上記周方向の両端につながる第１軟部および第２軟部がワイヤーハーネスに密着することで、ワイヤーハーネスにプロテクタを強固に固定できる。
【００１８】
第６態様のプロテクタによると、第１硬部および第２硬部の双方にワイヤーハーネスを当て、さらに第１硬部および第２硬部の外側にある第１軟部および第２軟部を曲げてワイヤーハーネスに当接させることができる。この状態で、突出部およびワイヤーハーネスを結束部材で結束することによって、突出部をワイヤーハーネスに対して強固に固定できる。
【００１９】
第７態様のプロテクタ付ワイヤーハーネスによると、結束部材によって突出部をワイヤーハーネスに固定する際、軟部がワイヤーハーネスの外周面に密着するように変形できる。これによって、突出部のワイヤーハーネスに接触する面積を増やすことができる。したがって、ワイヤーハーネスにプロテクタを強固に固定できる。また、突出部が硬部を有することによって、突出部に固定されたワイヤーハーネスの固定部分が揺動することを抑制できる。これによって、ワイヤーハーネスに対する突出部の固定位置がずれることを抑制できる。
【図面の簡単な説明】
【００２０】
【図１】第１実施形態のプロテクタ１０の主要部を示す概略斜視図である。
【図２】第１実施形態のプロテクタ１０の主要部を示す概略斜視図である。
【図３】第１実施形態のプロテクタ付ワイヤーハーネス１００の主要部を示す概略斜視図である。
【図４】第１実施形態のプロテクタ付ワイヤーハーネス１００を示す概略正面図である。
【図５】比較的小径のワイヤーハーネス９０ａに装着されたプロテクタ１０を示す概略正面図である。
【図６】比較例のプロテクタ８１０を示す概略正面図である。
【図７】第２実施形態のプロテクタ１０ａを示す概略正面図である。
【図８】第２実施形態のプロテクタ１０ａの主要部を示す概略側面図である。
【図９】第２実施形態のプロテクタ付ワイヤーハーネス１００ａを示す概略正面図である。
【発明を実施するための形態】
【００２１】
以下、添付の図面を参照しながら、本発明の実施形態について説明する。なお、この実施形態に記載されている構成要素はあくまでも例示であり、本発明の範囲をそれらのみに限定する趣旨のものではない。図面においては、理解容易のため、必要に応じて各部の寸法や数が誇張または簡略化して図示されている場合がある。
【００２２】
＜１．  第１実施形態＞
図１および図２は、第１実施形態のプロテクタ１０の主要部を示す概略斜視図である。図１は、突出部１４の内側面側を示す図であり、図２は、突出部１４の外側面側を示す図である。図３は、第１実施形態のプロテクタ付ワイヤーハーネス１００の主要部を示す概略斜視図である。図４は、第１実施形態のプロテクタ付ワイヤーハーネス１００を示す概略正面図である。
【００２３】
＜プロテクタ付ワイヤーハーネス１００＞
プロテクタ付ワイヤーハーネス１００は、ワイヤーハーネス９０と、そのワイヤーハーネス９０に取付けられたプロテクタ１０とを備える。ワイヤーハーネス９０は、電線、光ケーブルなどの線材を束ねて構成された線状部材である。電線は、車両に搭載されている２台の電気機器の間を通電可能に接続する配線材の他、電源とモータなどの動力源を通電可能に接続する配線材なども含む。
【００２４】
＜プロテクタ１０＞
プロテクタ１０は、基部１２および突出部１４を備える。プロテクタ１０は、ワイヤーハーネス９０の保護対象部分に装着され、そのワイヤーハーネス９０の部分を保護する。プロテクタ１０は、例えば、ポリプロピレンなどのプラスチック樹脂またはゴムなどによって一体形成された部材である。なお、不織布をホットプレス（不織布を金型間に挟み込み、加熱状態で金型に圧力を加えて不織布を成型する加工）することによって、プロテクタ１０を形成してもよい。また、別々に形成された部材を互いに結合することによって、プロテクタ１０を形成することも考えられる。
【００２５】
＜基部１２＞
基部１２は、方向Ｄ１（第１方向）に延びる部分を有する。基部１２の横断面（方向Ｄ１に対して直角に切断したときの切り口の平面）は、Ｕ字状に形成されている。ここでは、基部１２は、底部１２０および一対の側壁部１２２，１２２を備える。一対の側壁部１２２，１２２は、底部１２０の幅方向の両端部各々から、底部１２０に対して垂直に起立する部分である。このように、基部１２は、内側にワイヤーハーネスを収容可能な構造を有する。
【００２６】
基部１２は、容易には変形しない程度の固さを有している。このため、基部１２は、その内側に配置されたワイヤーハーネス９０の経路を規制する。また、基部１２の内側に配置されたワイヤーハーネス９０の周囲が、底部１２０および一対の側壁部１２２，１２２に囲まれる。このため、ワイヤーハーネス９０が車両に搭載された際に、プロテクタ１０が装着されたワイヤーハーネス９０の部分が、周辺部材に接触することを抑制できる。
【００２７】
なお、基部１２の形状は、図１および図２が示す形状に限定されるものではなく、任意である。また、基部１２を筒状に形成して、ワイヤーハーネス９０の全周囲を基部１２で囲めるようにしてもよい。また、基部１２が方向Ｄ１に沿って真っ直ぐに延びていることは必須ではない。例えば、基部１２を曲がった方向に延びる形状に形成してもよい。
【００２８】
＜突出部１４＞
突出部１４は、基部１２における方向Ｄ１の端部に設けられている。図１および図２は、基部１２の一端に設けられた突出部１４を図示しているが、突出部１４は、基部１２の他の端部（不図示）にも設けられていてもよい。
【００２９】
突出部１４の横断面は、全体としてＬ字状である。突出部１４は、基部１２の周方向（方向Ｄ１周り、以下、単に「周方向」と称する。）に沿って、硬部２０および第１軟部３２を備える。また、硬部１４は、硬部２０における第１軟部３２とは反対側の端部につながる第２軟部３４を備える。
【００３０】
硬部２０は、第１硬部２２および第２硬部２４を含む。第１硬部２２は、板状に形成された部分である。第１硬部２２は、基部１２の底部１２０につながっている。第１硬部２２は、底部１２０と略平行に延びる。第２硬部２４は、板状に形成された部分である。第２硬部２４は、基部１２の側壁部１２２につながっており、側壁部１２２と略平行に延びる。第１硬部２２および第２硬部２４は、互いに交差する（ここでは、直交する）ように連結されている。なお、硬部２０が第１硬部２２および第２硬部２４を備えていることは必須ではなく、どちらか一方のみを備えていてもよい。
【００３１】
第１軟部３２の基端部は第１硬部２２の上記周方向の一端部につながっており、第２軟部３４の基端部は第２硬部２４における上記周方向の一端部につながっている。なお、突出部１４が第１軟部３２および第２軟部３４の双方を備えていることは必須ではなく、どちらか一方のみで構成されていてもよい。図１、図２および図４においては、第１硬部２２および第１軟部３２の概念的な境界線、並びに、第２硬部２４および第２軟部３４の概念的な境界線を一点鎖線によって示している。
【００３２】
第１軟部３２および第２軟部３４は、硬部２０（第１硬部２２および第２硬部２４）よりも柔軟に形成されている。第１軟部３２および第２軟部３４の固さは、好ましくは、作業者が指又は手のひらなどの身体の一部で押すことによって容易に内側に変形する程度とされる。
【００３３】
本例では、第１軟部３２および第２軟部３４の少なくとも一部の厚さが、硬部２０の第１硬部２２および第２硬部２４各々よりも薄くなっている。
【００３４】
具体的には、第１軟部３２は、第１硬部２２につながる基端部からその反対側の先端部に向かって次第に薄くなる形状に形成されている。このため、第１軟部３２は、先端部に向かうほど、内側に曲がりやすくなっている。
【００３５】
また、第２軟部３４は、第２硬部２４につながる基端部からその反対側の先端部に向かって次第に薄くなる形状に形成されている。このため、第２軟部３４は、先端部に向かうほど、内側に曲がりやすくなっている。
【００３６】
本例では、突出部１４の横断面における縦幅（第２硬部２４および第２軟部３４の連結方向の長さ）は、基部１２の横断面の縦幅（側壁部１２２の高さ）よりも短くなっている。また、突出部１４の横断面の横幅（第１硬部２２および第１軟部３２の連結方向の長さ）は、基部１２の横断面の横幅（底部１２０の横幅）よりも短くなっている。ただし、突出部１４の横断面の縦幅および横幅は、このような大きさに限定されるものではない。
【００３７】
第１軟部３２および基部１２の間、並びに、第２軟部３４および基部１２の間には、隙間４２，４４がそれぞれ形成されている。このため、第１軟部３２および第２軟部３４は、基部１２に対しては直接に連結されていない。これによって、第１軟部３２および第２軟部３４は、基部１２から独立して変形可能である。なお、隙間４２，４４を形成することは必須ではない。例えば、第１軟部３２および第２軟部３４のうちどちらか一方または双方を、基部１２に直接連結してもよい。
【００３８】
突出部１４の硬部２０、第１軟部３２および第２軟部３４を同一素材で形成する場合、上述したように、プロテクタ１０を一体成形によって容易に製造できる。なお、突出部１４の硬部２０、第１軟部３２および第２軟部３４を異なる素材で形成することも考えられる。この場合、二色成形によってプロテクタ１０を製造することが考えられる。
【００３９】
図３が示すように、基部１２の内側に配置されたワイヤーハーネス９０の外周面に突出部１４の内面の一部を接触させた状態で、突出部１４の周囲にテープ９２が巻きつけられる。このようにテープ９２が巻付けられることによって、突出部１４がワイヤーハーネス９０の外周側に固定される。なお、突出部１４をワイヤーハーネス９０に固定する手段は、テープ９２に限定されない。例えば、結束バンドなどの他の結束部材も利用できる。
【００４０】
＜プロテクタの装着方法＞
プロテクタ１０の装着方法について説明する。まず、プロテクタ１０の基部１２の内側に、ワイヤーハーネス９０の保護対象部分が配置される。そして、基部１２の端部から延び出るワイヤーハーネス９０に対して、突出部１４が固定される。詳細には、ワイヤーハーネス９０の外周面が、突出部１４の第１硬部２２および第２硬部２４のそれぞれに押し当てられる。さらに、突出部１４の第１軟部３２第２軟部３４が、内側に曲げられることによって、ワイヤーハーネス９０の外周面に押し当てられる。この状態で、突出部１４の外周にテープ９２が巻付けられることによって、突出部１４がワイヤーハーネス９０に固定される。基部１２の他の端部に突出部１４が設けられている場合には、同様の作業が繰り返される。これによって、プロテクタ１０がワイヤーハーネス９０に固定され、プロテクタ付ワイヤーハーネス１００が形成される。
【００４１】
＜効果＞
テープ９２などの結束部材によって、突出部１４をワイヤーハーネス９０に固定する際、突出部１４の第１軟部３２および第２軟部３４がワイヤーハーネス９０の外周面に密着するように変形する。これによって、ワイヤーハーネス９０に接触する突出部１４の面積が増大する。したがって、ワイヤーハーネス９０に対してプロテクタ１０を強固に固定できる。
【００４２】
また、突出部１４の硬部２０は、ほとんど変形せずに、ワイヤーハーネス９０を支持する。このため、ワイヤーハーネス９０が揺動することを抑制できる。したがって、ワイヤーハーネス９０における突出部１４の固定位置がずれることを抑制できる。
【００４３】
また、第１軟部３２と基部１２との間、および、第２軟部３４と基部１２との間に隙間４２，４４を形成することによって、第１軟部３２および第２軟部３４の変形が容易となる。これによって、第１軟部３２および第２軟部３４をワイヤーハーネス９０の外周面に密着させることができる。
【００４４】
図５は、比較的小径のワイヤーハーネス９０ａに装着されたプロテクタ１０を示す概略正面図である。図５が示すように、ワイヤーハーネス９０ａの直径は、底部１２０の横幅（一対の側壁部１２２，１２２間の間隔）よりも小さい。このような小径のワイヤーハーネス９０ａであっても、第１軟部３２および第２軟部３４が内側に曲がることで、そのワイヤーハーネス９０ａの外周面に密着することができる。このため、プロテクタ１０をワイヤーハーネス９０ａに強固に固定できる。したがって、プロテクタ１０は、突出部１４を備えることによって、様々な直径のワイヤーハーネスに対応できる。
【００４５】
図６は、比較例のプロテクタ８１０を示す概略正面図である。プロテクタ８１０の突出部８１４は、均一な厚さを有する硬部８２０で構成されており、容易に変形可能な軟部が設けられていない。このような突出部８１４を小径のワイヤーハーネス９０ａに固定した場合、図６が示すように、突出部８１４は、ほとんど変形しないため、ワイヤーハーネス９０と突出部８１４の間に比較的大きな隙間が形成されてしまう。この場合、十分な固定力を得ることができず、ワイヤーハーネス９０ａが揺動することによって、プロテクタ８１０における突出部８１４の固定位置がずれてしまい、プロテクタ８１０がワイヤーハーネス９０ａから外れる可能性がある。
【００４６】
これに対して、図５が示すように、本実施形態のプロテクタ１０の場合、突出部１４の第１軟部３２および第２軟部３４が変形することによって、突出部１４およびワイヤーハーネス９０ａの間の隙間を小さくできる。すなわち、突出部１４がワイヤーハーネス９０ａに密着することで、突出部１４をワイヤーハーネス９０ａに強固に固定できる。
【００４７】
なお、図６に示す比較例のプロテクタ８１０の場合、突出部８１４のＬ字状に直交する板状の硬部各々に孔を形成し、それらの孔に結束バンドを通して小径のワイヤーハーネス９０ａを固定することも考えられる。この場合、突出部８１４をワイヤーハーネス９０に強固に固定できるものの、孔あけ加工が別途必要となるため、プロテクタ８１０の装着作業が煩雑である。これに対して、本実施形態のプロテクタ１０の場合、孔あけ加工をせずともワイヤーハーネス９０を強固に固定することができるため、プロテクタ１０の装着作業が容易である。
【００４８】
＜２．  第２実施形態＞
次に、第２実施形態について説明する。なお、以降の説明において、既に説明した要素と同様の機能を有する要素については、同じ符号またはアルファベット文字を追加した符号を付して、詳細な説明を省略する場合がある。
【００４９】
図７は、第２実施形態のプロテクタ１０ａを示す概略正面図である。図８は、第２実施形態のプロテクタ１０ａの主要部を示す概略側面図である。図９は、第２実施形態のプロテクタ付ワイヤーハーネス１００ａを示す概略正面図である。
【００５０】
プロテクタ１０ａは突出部１４ａを備えており、その突出部１４ａは硬部２０ａ、第１軟部３２ａ、第２軟部３４ａを備える。硬部２０ａは第１硬部２２ａおよび第２硬部２４ａを備える。
【００５１】
第１軟部３２ａおよび第２軟部３４ａは、第１硬部２２ａおよび第２硬部２４ａよりも薄く形成されており、これらよりも柔軟に変形可能である。本例では、第１軟部３２ａおよび第２軟部３４ａは、均一な厚さを有しているが、これは必須ではない。例えば、第１実施形態の第１軟部３２および第２軟部３４などと同様に、第１軟部３２ａまたは第２軟部３４ａを、上記周方向の一方に向かうに連れて次第に薄くなる形状に形成してもよい。
【００５２】
第１軟部３２ａと基部１２および第２軟部３４ａと基部１２の間には、隙間４２ａが形成されている。すなわち、第１軟部３２ａおよび第２軟部３４ａは、基部１２には直接に連結されていない。このため、第１軟部３２ａおよび第２軟部３４ａは、基部１２からは独立に変形可能である。なお、隙間４２ａを形成することは必須ではない。例えば、第１軟部３２ａおよび第２軟部３４ａのうちどちらか一方または双方を、基部１２に直接連結してもよい。
【００５３】
プロテクタ１０ａをワイヤーハーネス９０に装着した場合、図９が示すように、突出部１４ａの第１軟部３２ａおよび第２軟部３４ａが柔軟に変形する。このため、第１軟部３２ａおよび第２軟部３４ａの少なくとも一部分がワイヤーハーネス９０の外周面に密着できる。これによって、突出部１４ａをワイヤーハーネス９０に強固に固定できる。また、突出部１４ａの硬部２０ａは比較的変形しにくいため、ワイヤーハーネス９０が突出部１４ａに対して揺動することを抑制できる。これによって、ワイヤーハーネス９０における突出部１４ａの固定位置がずれることを抑制できる。
【００５４】
この発明は詳細に説明されたが、上記の説明は、すべての局面において、例示であって、この発明がそれに限定されるものではない。例示されていない無数の変形例が、この発明の範囲から外れることなく想定され得るものと解される。上記各実施形態及び各変形例で説明した各構成は、相互に矛盾しない限り適宜組み合わせたり、省略したりすることができる。
【符号の説明】
【００５５】
１００，１００ａ  プロテクタ付ワイヤーハーネス
１０，１０ａ  プロテクタ
１２  基部
１４，１４ａ  突出部
２０，２０ａ  硬部
２２，２２ａ  第１硬部
２４，２４ａ  第２硬部
３２，３２ａ  第１軟部
３４，３４ａ  第２軟部
４２，４２ａ，４４  隙間
９０，９０ａ  ワイヤーハーネス
９２  テープ（結束部材）
【図１】
2018014780.tif 000003
【図２】
2018014780.tif 000004
【図３】
2018014780.tif 000005
【図４】
2018014780.tif 000006
【図５】
2018014780.tif 000007
【図６】
2018014780.tif 000008
【図７】
2018014780.tif 000009
【図８】
2018014780.tif 000010
【図９】
2018014780.tif 000011